(57)【要約】【課題】  携帯端末を利用した画像形成を効率的に実現することができる画像形成システム、画像形成装置及びその制御方法、プログラムを提供する。【解決手段】  通信回線を介して接続される携帯端末４０２と画像形成装置１００を有し、携帯端末４０２から受信するデータに基づいて、画像を画像形成装置１００で形成する画像形成システムであって、携帯端末４０２は、画像データの保存先を示すアドレス情報とサムネイル画像情報を含む付加情報と前記画像データに基づく画像が形成された記録媒体上の付加情報を検出する。次に、検出した付加情報を画像形成装置１００へ通信回線を介して送信する。画像形成装置１００は、付加情報を携帯端末４０２より通信回線を介して受信する。次に、受信した付加情報に含まれるアドレス情報が示す画像データを保存先から取得する。そして、取得した画像データに基づく画像を記録媒体上に記録する。【選択図】  図１
2005101760.tif 000002
【特許請求の範囲】
【請求項１】
通信回線を介して接続される携帯端末と画像形成装置を有し、前記携帯端末から受信するデータに基づいて、画像を前記画像形成装置で形成する画像形成システムであって、
前記携帯端末は、
画像データの保存先を示すアドレス情報とサムネイル画像情報を含む付加情報と前記画像データに基づく画像が形成された記録媒体上の前記付加情報を検出する検出手段と、
前記検出手段で検出した付加情報を前記画像形成装置へ前記通信回線を介して送信する送信手段とを備え、
前記画像形成装置は、
前記付加情報を前記携帯端末より前記通信回線を介して受信する受信手段と、
前記受信手段で受信した付加情報に含まれるアドレス情報が示す画像データを保存先から取得する取得手段と、
前記取得手段で取得した画像データに基づく画像を記録媒体上に記録する記録手段と
を備えることを特徴とする画像形成システム。
【請求項２】
前記携帯端末は、前記付加情報に含まれるサムネイル画像情報に基づくサムネイル画像を表示する表示手段を更に備える
ことを特徴とする請求項１に記載の画像形成システム。
【請求項３】
前記画像形成装置は、前記付加情報と前記画像データに基づく画像を記録媒体上に形成する画像形成手段を更に備える
ことを特徴とする請求項１に記載の画像形成システム。
【請求項４】
前記画像形成装置とは異なる、前記付加情報と前記画像データに基づく画像とを記録媒体上に形成する画像形成装置を更に備える
ことを特徴とする請求項１に記載の画像形成システム。
【請求項５】
前記付加情報は、電子透かし情報として、前記画像データに付加されている
ことを特徴とする請求項１に記載の画像形成システム。
【請求項６】
前記付加情報は、前記画像データに基づく画像が形成される記録媒体上に埋め込まれているＩＣチップに記憶されている
ことを特徴とする請求項１に記載の画像形成システム。
【請求項７】
前記付加情報は、バーコード情報として、前記画像データに付加されている
ことを特徴とする請求項１に記載の画像形成システム。
【請求項８】
前記通信回線は、有線／無線通信回線である
ことを特徴とする請求項１に記載の画像形成システム。
【請求項９】
通信回線を介して携帯端末と接続され、前記携帯端末から受信するデータに基づいて、画像を形成する画像形成装置であって、
画像データの保存先を示すアドレス情報とサムネイル画像情報を含む付加情報と前記画像データに基づく画像を記録媒体上に形成する形成手段と、
前記携帯端末が検出した前記記録媒体上の付加情報を、前記通信回線を介して受信する受信手段と、
前記受信手段で受信した付加情報に含まれるアドレス情報が示す画像データを保存先から取得する取得手段と、
前記取得手段で取得した画像データに基づく画像を記録媒体上に記録する記録手段と
を備えることを特徴とする画像形成装置。
【請求項１０】
通信回線を介して携帯端末と接続され、前記携帯端末から受信するデータに基づいて、画像を形成する画像形成装置の制御方法であって、
画像データの保存先を示すアドレス情報とサムネイル画像情報を含む付加情報と前記画像データに基づく画像が形成された記録媒体に対し、前記携帯端末が検出した前記付加情報を、前記通信回線を介して受信する受信工程と、
前記受信工程で受信した付加情報に含まれるアドレス情報が示す画像データを保存先から取得する取得工程と、
前記取得工程で取得した画像データに基づく画像を記録媒体上に記録する記録工程と
を備えることを特徴とする画像形成装置の制御方法。
【請求項１１】
通信回線を介して携帯端末と接続され、前記携帯端末から受信するデータに基づいて、画像を形成する画像形成装置の制御を実現するプログラムであって、
画像データの保存先を示すアドレス情報とサムネイル画像情報を含む付加情報と前記画像データに基づく画像が形成された記録媒体に対し、前記携帯端末が検出した前記付加情報を、前記通信回線を介して受信する受信工程のプログラムコードと、
前記受信工程で受信した付加情報に含まれるアドレス情報が示す画像データを保存先から取得する取得工程のプログラムコードと、
前記取得工程で取得した画像データに基づく画像を記録媒体上に記録する記録工程のプログラムコードと
を備えることを特徴とするプログラム。
【発明の詳細な説明】
【技術分野】
【０００１】
本発明は、通信回線を介して接続される携帯端末と画像形成装置を有し、前記携帯端末から受信するデータに基づいて、画像を前記画像形成装置で形成する画像形成システム、画像形成装置及びその制御方法、プログラムに関するものである。
【背景技術】
【０００２】
従来より、画像形成システムとして、例えば、特許文献１では、コピーを原稿としてさらにコピーを行う場合のコピー画像の劣化を防止するために、原稿の画像データを複数の領域に分割し、その分割した領域毎に濃度情報を分析して、その分析結果に基づいて、各領域が文字画像か写真画像か、画質はどのようなものか、という点を基準に再現情報を生成する。そして、その再現情報を電子透かし情報に変換して画像データに埋め込んでおき、コピーの際には、その電子透かし情報を取得して、その電子透かし情報から得られる再現情報に基づいて、コピーを行う技術が記載されている。
【０００３】
また、特許文献２では、携帯端末からインターネット上のサイトにアクセスし、希望するコンテンツをプロバイダ経由で画像形成装置からプリントする技術が記載されている。
【０００４】
更に、特許文献３では、携帯端末上に記憶されている画像データを、外部装置インターフェイスに接続して画像形成装置へ送信し、その画像データを画像形成装置からプリントを行う技術が提案されている。
【特許文献１】特開２０００−２７８５３３号公報
【特許文献２】特開２０００−３８０８９４号公報
【特許文献３】特開２０００−３６９１５４号公報
【発明の開示】
【発明が解決しようとする課題】
【０００５】
しかしながら、特許文献１に記載の技術は、コピーを繰り返す時のコピー画像の劣化を防ぐことを目的としていたため、電子透かし情報として記憶しておく情報は、画像を再現する情報のみであった。そして、この技術を携帯端末に適用とする場合、携帯端末には、その電子透かし情報を検出したり、その電子透かし情報を利用して、コピー画像を生成することはできなかった。
【０００６】
また、特許文献２に記載の技術は、インターネット上のサイトにあるコンテンツをプロバイダ経由でプリントするもので、携帯端末からサイトにアクセスしてプリント指示をする必要があった。
【０００７】
更に、特許文献３に記載の技術は、携帯端末上に記憶されている画像データもしくはテキストデータを直接画像形成装置でプリントするものであり、画像データもしくはテキストデータを携帯端末で記憶している必要があった。
【０００８】
以上のように、従来の携帯端末を利用した画像データのプリントには、そのプリントに至るまでの操作に手間がかかったり、携帯端末の記憶資源を逼迫していた。
【０００９】
本発明は上記の課題を解決するためになされたものであり、携帯端末を利用した画像形成を効率的に実現することができる画像形成システム、画像形成装置及びその制御方法、プログラムを提供することを目的とする。
【課題を解決するための手段】
【００１０】
上記の目的を達成するための本発明による画像形成システムは以下の構成を備える。即ち、
通信回線を介して接続される携帯端末と画像形成装置を有し、前記携帯端末から受信するデータに基づいて、画像を前記画像形成装置で形成する画像形成システムであって、
前記携帯端末は、
画像データの保存先を示すアドレス情報とサムネイル画像情報を含む付加情報と前記画像データに基づく画像が形成された記録媒体上の前記付加情報を検出する検出手段と、
前記検出手段で検出した付加情報を前記画像形成装置へ前記通信回線を介して送信する送信手段とを備え、
前記画像形成装置は、
前記付加情報を前記携帯端末より前記通信回線を介して受信する受信手段と、
前記受信手段で受信した付加情報に含まれるアドレス情報が示す画像データを保存先から取得する取得手段と、
前記取得手段で取得した画像データに基づく画像を記録媒体上に記録する記録手段と
を備える。
【００１１】
また、好ましくは、前記携帯端末は、前記付加情報に含まれるサムネイル画像情報に基づくサムネイル画像を表示する表示手段を更に備える。
【００１２】
また、好ましくは、前記画像形成装置は、前記付加情報と前記画像データに基づく画像を記録媒体上に形成する画像形成手段を更に備える。
【００１３】
また、好ましくは、前記画像形成装置とは異なる、前記付加情報と前記画像データに基づく画像とを記録媒体上に形成する画像形成装置を更に備える。
【００１４】
また、好ましくは、前記付加情報は、電子透かし情報として、前記画像データに付加されている。
【００１５】
また、好ましくは、前記付加情報は、前記画像データに基づく画像が形成される記録媒体上に埋め込まれているＩＣチップに記憶されている。
【００１６】
また、好ましくは、前記付加情報は、バーコード情報として、前記画像データに付加されている。
【００１７】
また、好ましくは、前記通信回線は、有線／無線通信回線である。
【００１８】
上記の目的を達成するための本発明による画像形成装置は以下の構成を備える。即ち、
通信回線を介して携帯端末と接続され、前記携帯端末から受信するデータに基づいて、画像を形成する画像形成装置であって、
画像データの保存先を示すアドレス情報とサムネイル画像情報を含む付加情報と前記画像データに基づく画像を記録媒体上に形成する形成手段と、
前記携帯端末が検出した前記記録媒体上の付加情報を、前記通信回線を介して受信する受信手段と、
前記受信手段で受信した付加情報に含まれるアドレス情報が示す画像データを保存先から取得する取得手段と、
前記取得手段で取得した画像データに基づく画像を記録媒体上に記録する記録手段と
を備える。
【００１９】
上記の目的を達成するための本発明による画像形成装置の制御方法は以下の構成を備える。即ち、
通信回線を介して携帯端末と接続され、前記携帯端末から受信するデータに基づいて、画像を形成する画像形成装置の制御方法であって、
画像データの保存先を示すアドレス情報とサムネイル画像情報を含む付加情報と前記画像データに基づく画像が形成された記録媒体に対し、前記携帯端末が検出した前記付加情報を、前記通信回線を介して受信する受信工程と、
前記受信工程で受信した付加情報に含まれるアドレス情報が示す画像データを保存先から取得する取得工程と、
前記取得工程で取得した画像データに基づく画像を記録媒体上に記録する記録工程と
を備える。
【００２０】
上記の目的を達成するための本発明によるプログラムは以下の構成を備える。即ち、
また、好ましくは、通信回線を介して携帯端末と接続され、前記携帯端末から受信するデータに基づいて、画像を形成する画像形成装置の制御を実現するプログラムであって、
画像データの保存先を示すアドレス情報とサムネイル画像情報を含む付加情報と前記画像データに基づく画像が形成された記録媒体に対し、前記携帯端末が検出した前記付加情報を、前記通信回線を介して受信する受信工程のプログラムコードと、
前記受信工程で受信した付加情報に含まれるアドレス情報が示す画像データを保存先から取得する取得工程のプログラムコードと、
前記取得工程で取得した画像データに基づく画像を記録媒体上に記録する記録工程のプログラムコードと
を備える。
【発明の効果】
【００２１】
本発明によれば、携帯端末を利用した画像形成を効率的に実現することができる画像形成システム、画像形成装置及びその制御方法、プログラムを提供できる。
【発明を実施するための最良の形態】
【００２２】
以下、本発明の実施の形態について図面を用いて詳細に説明する。
【００２３】
＜＜実施形態１＞＞
まず、実施形態１の画像入出力システムの全体構成について、図１を用いて説明する。
【００２４】
図１は本発明の実施形態１の画像入出力システムの全体構成を示す図である。
【００２５】
図１の画像入出力システム１００において、リーダー部（画像入力装置）２００は、原稿画像を光学的に読み取り、画像データに変換する。リーダー部２００は、原稿を読み取るための機能を有するスキャナユニット２１０と、原稿を搬送するための機能を有する原稿給紙ユニット２５０とで構成される。
【００２６】
プリンタ部（画像出力装置）３００は、記録媒体を搬送し、その記録媒体上に画像データを可視画像として記録して装置外に排紙する。プリンタ部３００は、複数種類の記録紙カセットを有する給紙ユニット３６０と、画像データを記録媒体に転写、定着させる機能を有するマーキングユニット３１０と、記録された記録媒体をソート、ステイプルして機外へ出力する機能を有する排紙ユニット３７０とで構成される。
【００２７】
尚、記録媒体は、一般的な記録装置で用いられている紙のみならず、広く布、プラスチックフィルム、金属板等を含むものである。
【００２８】
制御装置（コントローラ部）１１０は、リーダー部２００、プリンタ部３００と電気的に接続され、さらにＬＡＮ４００、無線通信回線４１０、ＵＳＢ通信回線４２０、ＳＣＳＩ通信回線４３０等の通信回線を介して、ホストコンピュータ４０１、携帯端末４０２、４１２、４２２、４３２と接続されている。
【００２９】
尚、携帯端末の一例としては、ＰＤＡ、携帯電話、デジタルカメラ、ノートパソコン等がある。また、図１で示す通信回線以外の通信回線の例としては、無線通信、赤外線通信等が挙げられ、携帯端末と画像入出力システム１００間でデータ通信が可能な通信回線であれば、有線／無線を問わず、どのような通信回線であっても良い。
【００３０】
制御装置１１０は、リーダー部２００を制御して、原稿の画像データを読み込み、プリンタ部３００を制御して、その画像データを記録媒体に記録するコピー機能、リーダー部２００から読み取った画像データを、コードデータに変換し、ＬＡＮ４００を介してホストコンピュータ４０１へ送信するスキャナ機能、ホストコンピュータ４０１からＬＡＮ４００を介して受信したコードデータを画像データに変換し、プリンタ部３００に出力するプリンタ機能を提供する。
【００３１】
操作部１５０は、制御装置１１０に接続され、例えば、液晶タッチパネル、テンキー、各種ボタン等で構成され、画像入出力システムを操作するためのユーザＩ／Ｆ（インタフェース）を提供する。
【００３２】
ハードディスクドライブ（ＨＤＤ）１６０は、リーダー部２００で読み取った画像データや、通信回線を介して受信した画像データを記憶する。特に、実施形態１では、画画像データと、その付加データとして、画像データの保存先を示すアドレス情報及びサムネイル画像情報とを対応づけた画像データベースが構築されている。
【００３３】
尚、ホストコンピュータ４０１は、汎用コンピュータに搭載される標準的な構成要素（例えば、ＣＰＵ、ＲＡＭ、ＲＯＭ、ハードディスク、外部記憶装置、ネットワークインタフェース、ディスプレイ、キーボード、マウス等）を有している。
【００３４】
＜リーダー画像処理部の説明＞
次に、リーダ装置２００内に備えられたリーダー画像処理部の詳細構成について、図２を用いて説明する。
【００３５】
図２は本発明の実施形態１のリーダ装置内のリーダー画像処理部の詳細構成を示すブロック図である。
【００３６】
このリーダー画像処理部２２２では、原稿画像はＣＣＤ２１８に読み取られて電気信号に変換される（ＣＣＤ２１８は、カラーセンサの場合、ＲＧＢのカラーフィルタが１ラインＣＣＤ上にＲＧＢ順にインラインに配置して構成したものでも構わないし、３ラインＣＣＤで、それぞれＲフィルタ・Ｇフィルタ・ＢフィルタをそれぞれのＣＣＤ毎に配置して構成したものでも構わないし、フィルタがオンチップ化、又はフィルタがＣＣＤと別構成になったものでも構わない）。
【００３７】
そして、その電気信号（アナログ画像信号）は、リーダー画像処理部２２２に入力され、クランプ＆Ａｍｐ．＆Ｓ／Ｈ＆Ａ／Ｄ部４５１で、サンプルホールド（Ｓ／Ｈ）され、アナログ画像信号のダークレベルを基準電位にクランプし、所定量に増幅され（上記処理順番は表記順とは限らない）、Ａ／Ｄ変換されて、例えば、ＲＧＢ各８ビットのディジタル信号に変換される。そして、ＲＧＢ信号はシェーディング部４５２で、シェーディング補正及び黒補正が施された後、制御装置１１０へと出力される。
【００３８】
＜制御装置の説明＞
次に、制御装置１１０の詳細構成について、図３を用いて説明する。
【００３９】
図３は本発明の実施形態１の制御装置の詳細構成を示すブロック図である。
【００４０】
図３において、メインコントローラ１１１は、主に、ＣＰＵ１１２と、バスコントローラ１１３、各種Ｉ／Ｆコントローラ回路とから構成される。
【００４１】
ＣＰＵ１１２とバスコントローラ１１３は、制御装置１１０全体の動作を制御するものであり、ＣＰＵ１１２は、ＲＯＭ１１４からＲＯＭ  Ｉ／Ｆ１１５を経由して読み込んだプログラムに基いて動作する。また、ホストコンピュータ４０１から受信した、例えば、ＰＤＬ（ページ記述言語）コードデータを解釈し、ラスターイメージデータに展開する動作も、このプログラムに記述されており、ソフトウェアによって処理される。
【００４２】
バスコントローラ１１３は各Ｉ／Ｆから入出力されるデータ転送を制御するものであり、バス競合時の調停やＤＭＡデータ転送の制御を行う。
【００４３】
ＤＲＡＭ１１６は、ＤＲＡＭ  Ｉ／Ｆ１１７によってメインコントローラ１１１と接続されており、ＣＰＵ１１２が動作するためのワークエリアや、画像データを蓄積するためのエリアとして使用される。
【００４４】
Ｃｏｄｅｃ１１８は、ＤＲＡＭ１１６に蓄積されたラスターイメージデータをＭＨ／ＭＲ／ＭＭＲ／ＪＢＩＧ／ＪＰＥＧ等の圧縮方式で圧縮し、また、逆に圧縮され蓄積されたコードデータをラスターイメージデータに伸長する。
【００４５】
ＳＲＡＭ１１９は、Ｃｏｄｅｃ１１８の一時的なワーク領域として使用される。Ｃｏｄｅｃ１１８はＩ／Ｆ１２０を介してメインコントローラ１１１と接続され、ＤＲＡＭ１１６との間のデータの転送は、バスコントローラ１１３によって制御されＤＭＡ転送される。
【００４６】
グラフィックプロセッサ１３５は、画像回転、変倍処理や、本発明に関わる、電子透かし情報の抽出・解析や生成・埋め込み等の処理を行う。
【００４７】
外部通信Ｉ／Ｆコントローラ１２１は、Ｉ／Ｆ１２３によってメインコントローラ１１１と接続され、コネクタ１２２によって外部ネットワークと接続される。
【００４８】
汎用高速バス１２５には、拡張ボードを接続するための拡張コネクタ１２４と、Ｉ／Ｏ制御部１２６とが接続される。汎用高速バスとしては、一般的にＰＣＩバスがあげられる。
【００４９】
Ｉ／Ｏ制御部１２６には、リーダー部２００、プリンタ部３００の各ＣＰＵと制御コマンドを送受信するための調歩同期シリアル通信コントローラ１２７が２チャンネル装備されており、Ｉ／Ｏバス１２８によって外部Ｉ／Ｆ回路であるスキャナＩ／Ｆ１４０及びプリンタＩ／Ｆ１４５に接続されている。
【００５０】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。
【００５１】
操作部１５０は液晶表示部と液晶表示部上に張り付けられたタッチパネル入力装置と、複数個のハードキーを有する。タッチパネルまたはハードキーにより入力された信号は、パネルＩ／Ｆ１３２を介してＣＰＵ１１２に伝えられる。また、液晶表示部は、パネルＩ／Ｆ１３２から送信されてきた画像データを表示する。この表示には、画像形成入出力システム１００の操作における機能表示や画像データ等がある。
【００５２】
リアルタイムクロックモジュール１３３は、機器内で管理する日付と時刻を更新／保存するためのもので、バックアップ電池１３４によってバックアップされている。
【００５３】
Ｅ−ＩＤＥコネクタ１６１は、外部記憶装置を接続するためのものである。本実施形態においては、このＥ−ＩＤＥコネクタ１６１を介してハードディスク（ＨＤ）ドライブ１６０を接続し、ハードディスク（ＨＤ）１６２へ画像データを記憶させたり、ハードディスク１６２から画像データを読み込む動作を行う。
【００５４】
コネクタ１４２と１４７は、それぞれリーダー部２００とプリンタ部３００とに接続され、同調歩同期シリアルＩ／Ｆ（１４３、１４８）とビデオＩ／Ｆ（１４４、１４９）とから構成される。
【００５５】
スキャナＩ／Ｆ１４０は、コネクタ１４２を介してリーダー部２００と接続され、また、スキャナバス１４１によってメインコントローラ１１１と接続されている。また、スキャナＩ／Ｆ１４０は、リーダー部２００から受信した画像データに対して所定の画像処理を施す機能を有する。更に、スキャナＩ／Ｆ１４０は、リーダー部２００から送信されたビデオ制御信号をもとに生成した制御信号を、スキャナバス１４１に出力する機能も有する。
【００５６】
ここで、スキャナバス１４１からＤＲＡＭ１１６へのデータ転送は、バスコントローラ１１３によって制御される。
【００５７】
プリンタＩ／Ｆ１４５は、コネクタ１４７を介してプリンタ部３００と接続され、また、プリンタバス１４６によってメインコントローラ１１１と接続されている。また、プリンタＩ／Ｆ１４５は、メインコントローラ１１１から出力された画像データに所定の画像処理を施して、プリンタ部３００へ出力する機能を有する。更に、プリンタＩ／Ｆ１４５は、プリンタ部３００から送信されたビデオ制御信号をもとに生成した制御信号を、プリンタバス１４６に出力する機能も有する。
【００５８】
ＤＲＡＭ１１６上に展開されたラスターイメージデータのプリンタ部３００への転送は、バスコントローラ１１３によって制御され、プリンタバス１４６、ビデオＩ／Ｆ１４９を経由して、プリンタ部３００へＤＭＡ転送される。
【００５９】
＜スキャナＩ／Ｆの画像処理部の説明＞
次に、スキャナＩ／Ｆ１４０の画像処理を担う画像処理部の詳細構成について、図４を用いて説明する。
【００６０】
図４は本発明の実施形態１のスキャナＩ／Ｆの画像処理部の詳細構成を示すブロック図である。
【００６１】
リーダー部２００から、コネクタ１４２を介して送信される画像信号に対して、つなぎ＆ＭＴＦ補正部６０１で補正を行う。特に、ＣＣＤ２１８が３ラインＣＣＤの場合、つなぎ処理はライン間の読取位置が異なるため、読取速度に応じてライン毎の遅延量を調整し、３ラインの読取位置が同じになるように信号タイミングを補正する。また、ＭＴＦ補正は読取速度によって読取のＭＴＦが変るため、その変化を補正する。
【００６２】
読取位置タイミングが補正されたデジタル信号は入力マスキング部６０２によって、ＣＣＤ２１８の分光特性及びランプ及びミラー（不図示）の分光特性を補正する。入力マスキング部６０２の出力は、ＡＣＳカウント部６０３及びメインコントローラ１１１へと送信される。
【００６３】
＜プリンタＩ／Ｆの画像処理部の説明＞
次に、プリンタＩ／Ｆ１４５の画像処理を担う画像処理部の詳細構成について、図５を用いて説明する。
【００６４】
図５は本発明の実施形態１のプリンタＩ／Ｆの画像処理部の詳細構成を示すブロック図である。
【００６５】
メインコントローラ１１１から、プリンタバス１４６を介して送信される画像信号は、まず、ＬＯＧ変換部７０１に入力される。ＬＯＧ変換部７０１では、ＬＯＧ変換でＲＧＢ信号からＣＭＹ信号に変換する。次に、モアレ除去部７０２でモアレが除去される。次に、ＵＣＲ＆マスキング部７０３では、モアレ除去処理されたＣＭＹ信号がＵＣＲ処理でＣＭＹＫ信号が生成され、マスキング処理でプリンタの出力にあった信号に補正される。
【００６６】
ＵＣＲ＆マスキング部７０３で処理された信号は、γ補正部７０４で濃度調整された後、フィルタ部７０５でスムージング又はエッジ処理される。これらの処理を経て、コネクタ１４７を介してプリンタ部３００へと画像が送信される。
【００６７】
＜グラフィックプロセッサの説明＞
次に、グラフィックプロセッサ１３５の詳細構成について、図６を用いて説明する。
【００６８】
図６は本発明の実施形態１のグラフィックプロセッサの詳細構成を示すブロック図である。
【００６９】
グラフィックプロセッサ１３５では、画像回転、変倍処理や、本発明に関わる、電子透かし情報の抽出・解析や生成・埋め込み等の処理を行う。
【００７０】
具体的には、グラフィックプロセッサ１３５は、画像回転部８０１による画像の回転、画像変倍部８０２による画像の変倍、色空間変換部８０３によるＬＵＴ８０４を利用した色空間変換、画像二値化部８０５による画像の二値化の各種画像処理を行う。
【００７１】
ＳＲＡＭ１３６はグラフィックプロセッサ１３５の一時的なワーク領域として使用される。グラフィックプロセッサ１３５は、Ｉ／Ｆ１３７を介してメインコントローラ１１１と接続され、ＤＲＡＭ１１６との間のデータの転送は、バスコントローラ１１３によって制御されＤＭＡ転送される。
【００７２】
バスコントローラ１１３は、グラフィックプロセッサ１３５の各々のモジュール（８０１〜８０５、２１００及び２２００）に、画像処理モード等を設定する制御及び、各々のモジュールに画像データを転送するためのタイミング制御を行う。
【００７３】
透かし情報抽出・解析部２１００は、画像データに含まれている電子透かし情報を抽出、またその抽出した電子透かし情報もしくは外部通信Ｉ／Ｆ１２１から受信するデータ（電子透かし情報）を解析し、オリジナルの画像データの保存先を示すアドレス情報を取得する。また、透かし情報生成・埋込部２２００では、オリジナルの画像データのアドレス情報、サムネイル画像情報を生成し、これらの情報を画像データに埋め込む埋込処理を行う。
【００７４】
次に、携帯端末４０２、４１２、４２２、４３２の詳細構成について、図７を用いて説明する。
【００７５】
図７は本発明の実施形態１の携帯端末の詳細構成を示すブロック図である。
【００７６】
尚、図７に示す構成例は、本発明で情報通信を行うことが可能な機器に関して適用可能なものであり、特に、図７に示す構成でその機能を限定するものではない。
【００７７】
６０００はデータの送受信の総括を行う外部通信ユニットである。６００１は外部と情報のやり取りを行うためのデータ授受部であり、このデータ授受部６００１は無線通信を行うアンテナ、ＩＣチップ情報や電子透かし情報を読み取るためのデータリーダ、カメラ、有線通信を行うＵＳＢ通信装置等が例として挙げられる。特に、実施形態１では、このデータ授受部６００１で、記録媒体上の画像に付加された付加データを検出する。
【００７８】
また、６００２はデータ授受部６００１に対して情報を送信する送信部である。６００３はデータ授受部６００１から情報を受信する受信部である。６００４は操作者及び周辺の音を電気信号に変換するマイクである。６００５は操作者及び周辺に対し電気信号を音に変換して出力するスピーカである。
【００７９】
６００６は操作者が本携帯端末に対して指令を与えるための操作部である。６００７は本携帯端末全体を制御するＣＰＵである。
【００８０】
６００８はＣＰＵ６００７が動作する上で必要な揮発性メモリ及び、検出した付加データを記憶するデータ記憶手段として記憶するメモリである。６００９は操作者及び周辺に対して機器の状態及びメッセージを通知する表示部である。
【００８１】
次に、携帯端末の表示部６００９の画面表示の一例について、図８を用いて説明する。
【００８２】
図８は本発明の実施形態１の携帯端末における表示部の画面表示の一例を示す図である。
【００８３】
尚、図８の画面表示は一例であり、この画面表示が本発明を限定するものではない。
【００８４】
６１０１は携帯端末のメモリ６００８に保存された、データの一覧表示である。この一覧表示部６１０１において、網掛け表示６１０２の「Ｂｏｘ＿Ｎｏ．３  Ｄａｔａ１」は、このデータが選択状態にあることを示している。６１０３は通信ボタンであり、この通信ボタン６１０３を押下すると、画像入出力システム１００と通信を開始し、現在選択されている「Ｂｏｘ＿Ｎｏ．３  Ｄａｔａ１」のデータ（付加データ）が画像入出力システム１００に送信される。６１０４はサムネイル表示ボタンであり、これを押下すると「Ｂｏｘ＿Ｎｏ．３  Ｄａｔａ１」のサムネイル画像が本携帯端末の表示部６００９に表示される。
【００８５】
また、通信ボタン６１０３やサムネイル表示ボタン６１０４が押下された場合には、その押下状態を示すために網掛け表示される。図８では、サムネイル表示部ボタン６１０４が押下状態となっているため、網掛け表示になっている。
【００８６】
次に、サムネイル表示ボタン６１０４が押下した場合に表示部６００９に表示されるサムネイル画像の表示例について、図９を用いて説明する。
【００８７】
図９は本発明の実施形態１の携帯端末における表示部の画面表示の一例を示す図である。
【００８８】
尚、図９の画面表示は一例であり、この画面表示が本発明を限定するものではない。
【００８９】
６２０１は表示している現在の画像データに関するデータ情報である。６２０２は、データ情報に対応するサムネイル画像である。６２０３は通信ボタンであり、この通信ボタン６２０３を押下すると、このサムネイル画像に対応する付加データ（アドレス情報）が画像入出力システム１００に送信される。６２０４は戻るボタンであり、この戻るボタン６０２４を押下すると、図８の画面表示に戻る。
【００９０】
次に、実施形態１の画像入出力システムにおいて、付加データが記録媒体上の画像中の電子透かし情報として埋め込まれている場合の処理について、図１０を用いて説明する。
【００９１】
図１０は本発明の実施形態１の画像入出力システムが実行する処理を示すフローチャートである。
【００９２】
まず、ステップＳ５０１で、画像入出力システム１００は、出力対象の画像データ（オリジナルデータ）のアドレス情報及びサムネイル画像情報を付加データとして、透かし情報生成・埋込部２２００で生成する。次に、ステップＳ５０２で、生成した付加データを電子透かし情報として、透かし情報生成・埋込部２２００で、出力対象の画像データに埋め込む。
【００９３】
ステップＳ５０３で、プリンタ部３００によって、付加データが埋め込まれた画像データを記録媒体に記録する。
【００９４】
この画像データが記録された記録媒体は、不特定多数の人に配布されることが考えられる。そして、その配布先で、その記録媒体上のオリジナルの画像データを記録したい、またはデータを保存しておきたい場合がある。そこで、この記録媒体に対する処理を、例えば、携帯端末４０２を用いて、以下のように実行することができる。
【００９５】
まず、ステップＳ５０４で、携帯端末４０２で、記録媒体上の付加データを検出して、記憶する。この検出は、携帯端末４０２のデータ授受部６００１で実行する。実施形態１の場合、データ授受部６００１は、電子透かし情報を読み取るデータリーダとして機能する。
【００９６】
ステップＳ５０５で、携帯端末４０２で取得した付加データ中のサムネイル画像情報のサムネイル表示の実行の有無を判定する。この判定は、図８のサムネイル表示ボタン６１０４の操作に基づいて判定する。つまり、サムネイル表示ボタン６１０４が押下された場合（ステップＳ５０５でＹＥＳ）、ステップＳ５０６に進み、例えば、図９のようなサムネイルを表示部６００９に表示する。一方、サムネイル表示ボタン６１０４が押下されない場合（ステップＳ５０５でＮＯ）、ステップＳ５０７に進む。
【００９７】
ステップＳ５０７で、付加データに含まれるアドレス情報に対応するオリジナルの画像データのプリントを行うか否かを判定する。この判定は、図８の通信ボタン６１０３あるいは図９の通信ボタン６２０３の操作に基づいて判定する。つまり、いずれかの通信ボタンが押下された場合（ステップＳ５０７でＹＥＳ）、その付加データを、オリジナルの画像データの印刷指示として、画像入出力システム１００へ送信する。一方、いずれかの通信ボタンが押下されない場合（ステップＳ５０７でＮＯ）、ステップＳ５０５に戻る。
【００９８】
次に、ステップＳ５０９で、画像入出力システム１００は、携帯端末４０２から受信する付加データを検出する。ステップＳ５１０で、透かし情報抽出・解析部２２００で、付加データの解析を行う。
【００９９】
ステップＳ５１１で、その解析によって得られる付加データ中のアドレス情報に基づいて、オリジナルの画像データの位置情報を特定する。ステップＳ５１２で、オリジナルの画像データが格納されている保存先（例えば、ハードディスクドライブ１６０）から画像データを取得する。ステップＳ５１３で、プリンタ部３００によって、取得したオリジナルの画像データを記録媒体に記録し、処理を終了する。
【０１００】
以上説明したように、実施形態１によれば、画像データの付加データとして、保存先を示すアドレス情報とサムネイル画像情報を生成し、この生成した付加データが付加された画像データを記憶媒体に記録する。そして、この記録媒体に記録された画像データ中の付加データは、携帯端末によって検出して、それを携帯端末上に保存することが可能となる。
【０１０１】
そして、この付加データには、画像データのサムネイル画像情報が含まれているため、ユーザは、携帯端末上で適宜、所望の画像データの内容を確認することができる。また、必要に応じて、その付加データを画像入出力システムへ送信することで、その付加データ中のアドレス情報が示す画像データの記録を指示することができる。
【０１０２】
このように、携帯端末では、少ない記憶容量で、出力対象となる画像データに関する情報を管理することが可能となる。また、携帯端末上では、サムネイル画像をプレビューすることが可能なため、どんな画像かを手元で確認ができる。更には、記憶している付加データだけで、その付加データに対する画像データを、任意のタイミングで画像入出力システムで出力することが可能となるため、ユーザの利便性が向上する。
【０１０３】
＜＜実施形態２＞＞
実施形態１では、付加データは画像データ中の電子透かし情報として生成したが、実施形態２では、記録用紙にＩＣチップ（ミューチップ）を埋め込み、このＩＣチップに対するＩＣチップ情報として付加データを生成する構成について説明する。
【０１０４】
以下、実施形態２の画像入出力システムの全体構成について、図１１を用いて説明する。
【０１０５】
図１１は本発明の実施形態２の画像入出力システムの全体構成を示す図である。
【０１０６】
尚、図１１の構成において、図１と同一の構成要素については、同一の参照番号を付加し、その詳細については省略する。
【０１０７】
図１１において、図１と異なる点は、画像入出力システム１００に、ＩＣリーダライタ３０００が接続されている点である。ＩＣリーダライタ３０００は、記録媒体に埋め込まれたＩＣチップのＩＣチップ情報を読み出すことが可能であり、さらには、記録媒体に画像データを形成して出力する際には、記録媒体に埋め込まれたＩＣチップに対してＩＣチップ情報を書き込むことが可能である。
【０１０８】
次に、実施形態２の制御装置１１０の詳細構成について、図１２を用いて説明する。
【０１０９】
図１２は本発明の実施形態２の制御装置の詳細構成を示すブロック図である。
【０１１０】
尚、図１２の構成において、実施形態１の図３と同一の構成要素については、同一の参照番号を付加し、その詳細については省略する。
【０１１１】
図１２において、図３と異なる点は、制御装置１１０にＩＣリーダライタ３０００とのＩ／Ｆが設けられている点である。つまり、ＩＣリーダライタＩ／Ｆ３１００は、メインコントローラ１１１とＩＣリーダライタバス３０５０によって接続されており、ＩＣリーダライタ３０００によって読み取られたＩＣチップ情報をメインコントローラ１１１に対して送信する役割を果たす。この際、コネクタ３２００は、ＩＣリーダライタ３０００に接続され、同調歩同期シリアルＩ／Ｆ３０１０とビデオＩ／Ｆ３０２０とから構成されている。
【０１１２】
次に、実施形態２のグラフィックプロセッサ１３５の詳細構成について、図１３を用いて説明する。
【０１１３】
図１３は本発明の実施形態２のグラフィックプロセッサの詳細構成を示すブロック図である。
【０１１４】
尚、図１３の構成において、実施形態１の図６と同一の構成要素については、同一の参照番号を付加し、その詳細については省略する。
【０１１５】
図１３において、図６と異なる点は、図６の透かし情報抽出・解析部２１００がＩＣチップ情報解析部３３００に、透かし情報生成・埋込部２２００がＩＣチップ情報生成部３４００に変更されている点である。
【０１１６】
ここでは、ＩＣリーダライタ３０００で抽出されたＩＣチップ情報、もしくは外部通信Ｉ／Ｆ１２１から受け取ったデータを解析し、オリジナルの画像データのアドレス情報を取得する。また、ＩＣチップ情報生成部３４００では、ＩＣリーダライタ３０００にて、ＩＣチップ情報の埋込処理を行うための、オリジナルの画像データのアドレス情報、サムネイル画像情報を生成する。
【０１１７】
次に、実施形態２の画像入出力システムにおいて、付加データが記録媒体上のＩＣチップに埋め込まれている場合の処理について、図１４を用いて説明する。
【０１１８】
図１４は本発明の実施形態２の画像入出力システムが実行する処理を示すフローチャートである。
【０１１９】
まず、ステップＳ６０１で、画像入出力システム１００は、出力対象とする画像データ（オリジナルデータ）のアドレス情報及びサムネイル画像情報を付加データとして、ＩＣチップ情報生成部３４００で生成する。次に、ステップＳ６０２で、ＩＣリーダライタ３０００で、生成した付加データをＩＣチップ情報として、記録媒体上のＩＣチップに埋め込む。
【０１２０】
ステップＳ６０３で、プリンタ部３００によって、ＩＣチップが埋め込まれた記録媒体上に画像データを記録媒体に記録する。
【０１２１】
次に、ステップＳ６０４で、携帯端末４０２で、記録媒体上の付加データを検出して、記憶する。この検出は、携帯端末４０２のデータ授受部６００１で実行する。実施形態２の場合、データ授受部６００１は、ＩＣチップ情報を読み取るＩＣチップリーダとして機能する。
【０１２２】
ステップＳ６０５で、携帯端末４０２で取得した付加データ中のサムネイル画像情報のサムネイル表示の実行の有無を判定する。この判定は、実施形態１の図１０のステップＳ５０５と同様である。サムネイル表示ボタン６１０４が押下された場合（ステップＳ６０５でＹＥＳ）、ステップＳ６０６に進み、例えば、図９のようなサムネイルを表示部６００９に表示する。一方、サムネイル表示ボタン６１０４が押下されない場合（ステップＳ６０５でＮＯ）、ステップＳ６０７に進む。
【０１２３】
ステップＳ６０７で、付加データに含まれるアドレス情報に対応するオリジナルの画像データのプリントを行うか否かを判定する。この判定は、実施形態１の図１０のステップＳ５０７と同様である。通信ボタンが押下された場合（ステップＳ６０７でＹＥＳ）、その付加データを、オリジナルの画像データの印刷指示として、画像入出力システム１００へ送信する。一方、通信ボタンが押下されない場合（ステップＳ６０７でＮＯ）、ステップＳ６０５に戻る。
【０１２４】
次に、ステップＳ６０９で、画像入出力システム１００は、携帯端末４０２から受信する付加データを検出する。ステップＳ６１０で、ＩＣチップ情報解析部３３００で、付加データの解析を行う。
【０１２５】
ステップＳ６１１で、その解析によって得られる付加データ中のアドレス情報に基づいて、オリジナルの画像データの位置情報を特定する。ステップＳ６１２で、オリジナルの画像データが格納されている保存先（例えば、ハードディスクドライブ１６０）から画像データを取得する。ステップＳ６１３で、プリンタ部３００によって、取得したオリジナルの画像データを記録媒体に記録し、処理を終了する。
【０１２６】
以上説明したように、実施形態２によれば、付加データが、記録媒体上のＩＣチップに埋め込まれている場合でも、実施形態１と同様の効果を得ることができる。
【０１２７】
＜＜実施形態３＞＞
実施形態１では、付加データは画像データ中の電子透かし情報として生成したが、実施形態２では、画像生成の段階で、付加データをバーコード情報として生成する構成について説明する。ここで、バーコードとしては、１次元バーコード、２次元バーコード等の各種バーコードを利用することができる。
【０１２８】
尚、実施形態３の画像入出力システムの全体構成は、実施形態１の図１の画像入出力システムの全体構成と同様であるので、ここでは説明を省略し、図１の構成と異なる点について、以下に説明する。
【０１２９】
まず、実施形態３のグラフィックプロセッサ１３５の詳細構成について、図１５を用いて説明する。
【０１３０】
図１５は本発明の実施形態３のグラフィックプロセッサの詳細構成を示すブロック図である。
【０１３１】
尚、図１５の構成において、実施形態１の図６と同一の構成要素については、同一の参照番号を付加し、その詳細については省略する。
【０１３２】
図１５において、図６と異なる点は、図６の透かし情報抽出・解析部２１００がバーコード情報抽出・解析部４１００に、透かし情報生成・埋込部２２００がバーコード情報生成・埋込部４２００に変更されている点である。
【０１３３】
バーコード情報抽出・解析部４１００では、画像データからバーコード情報を抽出し、それを解析して、オリジナルの画像データのアドレス情報を取得する。また、バーコード情報生成・埋込部４２００では、オリジナルの画像データのアドレス情報、サムネイル画像情報を生成し、それらの情報を画像データに埋め込む埋込処理を行う。
【０１３４】
次に、実施形態３の画像入出力システムにおいて、付加データが記録媒体上の画像中のバーコード情報として埋め込まれている場合の処理について、図１６を用いて説明する。
【０１３５】
図１６は本発明の実施形態３の画像入出力システムが実行する処理を示すフローチャートである。
【０１３６】
まず、ステップＳ７０１で、画像入出力システム１００は、出力対象とする画像データ（オリジナルデータ）のアドレス情報及びサムネイル画像情報を付加データとして、バーコード情報生成・埋め込み部４２００で生成する。次に、ステップＳ７０２で、生成した付加データを、バーコード情報として、バーコード情報生成・埋込部４２００で、出力対象の画像データに埋め込む。
【０１３７】
ステップＳ７０３で、プリンタ部３００によって、付加データが埋め込まれた画像データを記録媒体に記録する。
【０１３８】
次に、ステップＳ７０４で、携帯端末４０２で、記録媒体上の付加データを検出して、記憶する。この検出は、携帯端末４０２のデータ授受部６００１で実行する。実施形態３の場合、データ授受部６００１は、バーコード情報を読み取るバーコードリーダとして機能する。
【０１３９】
ステップＳ７０５で、携帯端末４０２で取得した付加データ中のサムネイル画像情報のサムネイル表示の実行の有無を判定する。この判定は、実施形態１の図１０のステップＳ５０５と同様である。サムネイル表示ボタン６１０４が押下された場合（ステップＳ７０５でＹＥＳ）、ステップＳ７０６に進み、例えば、図９のようなサムネイルを表示部６００９に表示する。一方、サムネイル表示ボタン６１０４が押下されない場合（ステップＳ７０５でＮＯ）、ステップＳ７０７に進む。
【０１４０】
ステップＳ７０７で、付加データに含まれるアドレス情報に対応するオリジナルの画像データのプリントを行うか否かを判定する。この判定は、実施形態１の図１０のステップＳ５０７と同様である。通信ボタンが押下された場合（ステップＳ７０７でＹＥＳ）、その付加データを、オリジナルの画像データの印刷指示として、画像入出力システム１００へ送信する。一方、通信ボタンが押下されない場合（ステップＳ７０７でＮＯ）、ステップＳ７０５に戻る。
【０１４１】
次に、ステップＳ７０９で、画像入出力システム１００は、携帯端末４０２から受信する付加データを検出する。ステップ７６１０で、バーコード情報抽出・解析部４１００で、付加データの解析を行う。
【０１４２】
ステップＳ７１１で、その解析によって得られる付加データ中のアドレス情報に基づいて、オリジナルの画像データの位置情報を特定する。ステップＳ７１２で、オリジナルの画像データが格納されている保存先（例えば、ハードディスクドライブ１６０）から画像データを取得する。ステップＳ７１３で、プリンタ部３００によって、取得したオリジナルの画像データを記録媒体に記録し、処理を終了する。
【０１４３】
以上説明したように、実施形態３によれば、付加データが、バーコード情報として画像データ中に埋め込まれている場合でも、実施形態１と同様の効果を得ることができる。
【０１４４】
＜＜実施形態４＞＞
実施形態１では、付加データは画像データ中の電子透かし情報として生成したが、実施形態４では、付加データをバーコード情報として生成する構成について説明する。特に、実施形態４では、バーコード情報は、バーコードリーダライタにて、記録媒体上にバーコード情報を埋め込み、また、記録媒体上のバーコード情報を抽出する構成について説明する。
【０１４５】
以下、実施形態４の画像入出力システムの全体構成について、図１７を用いて説明する。
【０１４６】
図１７は本発明の実施形態４の画像入出力システムの全体構成を示す図である。
【０１４７】
尚、図１７の構成において、図１と同一の構成要素については、同一の参照番号を付加し、その詳細については省略する。
【０１４８】
図１７において、図１と異なる点は、画像入出力システム１００に、バーコードリーダライタ５０００が接続されている点である。バーコードリーダライタ５０００は、記録媒体に埋め込まれたバーコード情報を読み出すことが可能であり、さらに、記録媒体に画像データを形成して出力する際には、バーコード情報を記録媒体上の画像に対して重ね合わせて書き込むことが可能である。
【０１４９】
次に、実施形態４の制御装置１１０の詳細構成について、図１８を用いて説明する。
【０１５０】
図１８は本発明の実施形態４の制御装置の詳細構成を示すブロック図である。
【０１５１】
尚、図１８の構成において、実施形態１の図３と同一の構成要素については、同一の参照番号を付加し、その詳細については省略する。
【０１５２】
図１８において、図３と異なる点は、制御装置１１０にバーコードリーダライタ５０００とのＩ／Ｆが設けられている点である。つまり、バーコードリーダＩ／Ｆ５１００は、メインコントローラ１１１とバーコードリーダバス５０５０によって接続されており、バーコードリーダ５０００によって読み取られたバーコード情報をメインコントローラ１１１に対して送信する役割を果たす。この際、コネクタ５２００は、バーコードリーダ５０００に接続され、同調歩同期シリアルＩ／Ｆ５０１０とビデオＩ／Ｆ５０２０とから構成されている。
【０１５３】
次に、実施形態４のグラフィックプロセッサ１３５の詳細構成について、図１９を用いて説明する。
【０１５４】
図１９は本発明の実施形態４のグラフィックプロセッサの詳細構成を示すブロック図である。
【０１５５】
尚、図１９の構成において、実施形態１の図６と同一の構成要素については、同一の参照番号を付加し、その詳細については省略する。
【０１５６】
図１９において、図６と異なる点は、図６の透かし情報抽出・解析部２１００がバーコード情報解析部５３００に、透かし情報生成・埋込部２２００がバーコード情報生成部５４００に変更されている点である。
【０１５７】
ここでは、バーコードリーダライタ５０００で抽出されたバーコード情報、もしくは外部通信Ｉ／Ｆ１２１から受け取ったデータ（付加データ）を解析し、オリジナルの画像データのアドレス情報を取得する。また、バーコード情報生成部５４００では、バーコードリーダライタ５０００にて、バーコード情報の埋込処理を行うための、オリジナルの画像データのアドレス情報、サムネイル画像情報を生成する。
【０１５８】
次に、実施形態４の画像入出力システムにおいて、付加データが記録媒体上のバーコード情報に埋め込まれている場合の処理について、図２０を用いて説明する。
【０１５９】
図２０は本発明の実施形態４の画像入出力システムが実行する処理を示すフローチャートである。
【０１６０】
まず、ステップＳ８０１で、画像入出力システム１００は、出力対象とする画像データ（オリジナルデータ）のアドレス情報及びサムネイル画像情報を付加データとして、バーコード情報生成部５４００で生成する。次に、ステップＳ８０２で、バーコードリーダライタ５０００で、生成した付加データをバーコード情報として、記録媒体上に埋め込む。
【０１６１】
ステップＳ８０３で、プリンタ部３００によって、バーコード情報が埋め込まれた記録媒体上に画像データを記録媒体に記録する。
【０１６２】
まず、ステップＳ８０４で、携帯端末４０２で、記録媒体上の付加データを検出して、記憶する。この検出は、携帯端末４０２のデータ授受部６００１で実行する。実施形態４の場合、データ授受部６００１は、バーコード情報を読み取るバーコードリーダとして機能する。
【０１６３】
ステップＳ８０５で、携帯端末４０２で取得した付加データ中のサムネイル画像情報のサムネイル表示の実行の有無を判定する。この判定は、実施形態１の図１０のステップＳ５０５と同様である。サムネイル表示ボタン６１０４が押下された場合（ステップＳ８０５でＹＥＳ）、ステップＳ８０６に進み、例えば、図９のようなサムネイルを表示部６００９に表示する。一方、サムネイル表示ボタン６１０４が押下されない場合（ステップＳ８０５でＮＯ）、ステップＳ８０７に進む。
【０１６４】
ステップＳ８０７で、付加データに含まれるアドレス情報に対応するオリジナルの画像データのプリントを行うか否かを判定する。この判定は、実施形態１の図１０のステップＳ５０７と同様である。通信ボタンが押下された場合（ステップＳ８０７でＹＥＳ）、その付加データを、オリジナルの画像データの印刷指示として、画像入出力システム１００へ送信する。一方、通信ボタンが押下されない場合（ステップＳ８０７でＮＯ）、ステップＳ８０５に戻る。
【０１６５】
次に、ステップＳ８０９で、画像入出力システム１００は、携帯端末４０２から受信する付加データを検出する。ステップＳ８１０で、バーコード情報解析部５３００で、付加データの解析を行う。
【０１６６】
ステップＳ８１１で、その解析によって得られる付加データ中のアドレス情報に基づいて、オリジナルの画像データの位置情報を特定する。ステップＳ８１２で、オリジナルの画像データが格納されている保存先（例えば、ハードディスクドライブ１６０）から画像データを取得する。ステップＳ８１３で、プリンタ部３００によって、取得したオリジナルの画像データを記録媒体に記録し、処理を終了する。
【０１６７】
以上説明したように、実施形態４によれば、付加データが、記録媒体上のバーコード情報に埋め込まれている場合でも、実施形態１と同様の効果を得ることができる。
【０１６８】
尚、上記実施形態１〜４では、画像入出力システム１００は、記録媒体上に形成する画像データ（オリジナルデータ）のアドレス情報及びサムネイル画像情報を付加データとして、画像データとともに記録媒体に形成する第１画像形成装置として機能する第１画像形成機能と、携帯端末から受信した付加データで特定される画像データをハードディスクドライブ１６０から読み出して記録媒体に形成する第２画像形成装置として機能する第２画像形成機能を有している構成であるが、これらの両者の機能を別体の装置に分けた構成においても、上記各実施形態を実現することが可能である。
【０１６９】
また、画像データの保存先としては、ハードディスクドライブ１６０としているが、画像入出力システム１００が取得可能であれば、画像入出力システム１００と通信回線を介して接続されている外部機器（例えば、サーバ等）が保存先であっても良い。
【０１７０】
以上、実施形態例を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【０１７１】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【０１７２】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【０１７３】
その場合、プログラムの機能を有していれば、オブジェクトコード、インタプリタにより実行されるプログラム、ＯＳに供給するスクリプトデータ等の形態であっても良い。
【０１７４】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【０１７５】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０１７６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１７７】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【０１７８】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【０１７９】
【図１】本発明の実施形態１の画像入出力システムの全体構成を示す図である。
【図２】本発明の実施形態１のリーダ装置内のリーダー画像処理部の詳細構成を示すブロック図である。
【図３】本発明の実施形態１の制御装置の詳細構成を示すブロック図である。
【図４】本発明の実施形態１のスキャナＩ／Ｆの画像処理を担う部分の詳細構成を示すブロック図である。
【図５】本発明の実施形態１のプリンタＩ／Ｆの画像処理部の詳細構成を示すブロック図である。
【図６】本発明の実施形態１のグラフィックプロセッサの詳細構成を示すブロック図である。
【図７】本発明の実施形態１の携帯端末の詳細構成を示すブロック図である。
【図８】本発明の実施形態１の携帯端末における表示部の画面表示の一例を示す図である。
【図９】本発明の実施形態１の携帯端末における表示部の画面表示の一例を示す図である。
【図１０】本発明の実施形態１の画像入出力システムが実行する処理を示すフローチャートである。
【図１１】本発明の実施形態２の画像入出力システムの全体構成を示す図である。
【図１２】本発明の実施形態２の制御装置の詳細構成を示すブロック図である。
【図１３】本発明の実施形態２のグラフィックプロセッサの詳細構成を示すブロック図である。
【図１４】本発明の実施形態２の画像入出力システムが実行する処理を示すフローチャートである。
【図１５】本発明の実施形態３のグラフィックプロセッサの詳細構成を示すブロック図である。
【図１６】本発明の実施形態３の画像入出力システムが実行する処理を示すフローチャートである。
【図１７】本発明の実施形態４の画像入出力システムの全体構成を示す図である。
【図１８】本発明の実施形態４の制御装置の詳細構成を示すブロック図である。
【図１９】本発明の実施形態４のグラフィックプロセッサの詳細構成を示すブロック図である。
【図２０】本発明の実施形態４の画像入出力システムが実行する処理を示すフローチャートである。
【符号の説明】
【０１８０】
１００  画像入出力システム
１１０  制御装置
１５０  操作部
１６０  ハードディスクドライブ
２００  リーダ部
２１０  スキャナユニット
２５０  原稿給紙ユニット
３００  プリンタ部
３１０  マーキングユニット
３６０  給紙ユニット
３７０  排紙ユニット
４００  ＬＡＮ
４０１  ホストコンピュータ
４０２、４１２、４２２、４３２  携帯端末
４１０  無線通信回線
４１２  携帯端末
４２０  ＵＳＢ通信回線
４３３  ＳＣＳＩ通信回線
【図１】
2005101760.tif 000003
【図２】
2005101760.tif 000004
【図３】
2005101760.tif 000005
【図４】
2005101760.tif 000006
【図５】
2005101760.tif 000007
【図６】
2005101760.tif 000008
【図７】
2005101760.tif 000009
【図８】
2005101760.tif 000010
【図９】
2005101760.tif 000011
【図１０】
2005101760.tif 000012
【図１１】
2005101760.tif 000013
【図１２】
2005101760.tif 000014
【図１３】
2005101760.tif 000015
【図１４】
2005101760.tif 000016
【図１５】
2005101760.tif 000017
【図１６】
2005101760.tif 000018
【図１７】
2005101760.tif 000019
【図１８】
2005101760.tif 000020
【図１９】
2005101760.tif 000021
【図２０】
2005101760.tif 000022